(57)【要約】【課題】記録媒体を傷つけることなく出し入れ可能とするとともに、小型化を図ることができる記録媒体再生装置を提供する。【解決手段】記録媒体再生装置１はシャーシ本体１５とクランプアーム１６とを備えている。シャーシ本体１５には回転テーブルが設けられている。クランプアーム１６は平板部１９とクランパ２１を支持するクランパ支持部２０を備えている。クランパ支持部２０は一対の支持片２２，２３と針金部材２４を備えている。一対の支持片２２，２３は互いの間にクランパ２１を位置付ける。針金部材２４は支持片２２，２３に掛け渡される一対の平行部２６を備えている。クランパ２１は回転テーブルとの間にＣＤを挟む挟み部２９と突出部３０を備えている。突出部３０の外周面には全周に亘って溝３１が設けられている。溝３１内に平行部２６が通されてクランパ２１はクランプアーム１６に支持される。【選択図】　　　図３
2004110903.tif 000002
【特許請求の範囲】
【請求項１】
機器本体に回転自在に設けられた回転テーブルと、前記回転テーブルに接離自在に前記機器本体に支持されたクランパとを備え、前記クランパが前記回転テーブルに近づいて前記回転テーブルと前記クランパとの間に記録媒体を挟んで、この記録媒体に記録された情報を読み出す記録媒体再生装置において、
前記機器本体は、互いの間に前記クランパを位置させる一対の支持片と、前記一対の支持片間に渡されかつ互いに間隔をあけて配された一対の針金と、を備え、
前記クランパは、前記回転テーブルとの間に記録媒体を挟む挟み部と、前記挟み部から突出した突出部と、前記突出部の外周面から凹でかつ前記挟み部の中心を挟んで互いに逆となる位置に配された一対の溝と、を備え、
一対の溝のうち一方の溝内に前記一対の針金のうち一方の針金を通し、他方の溝内に他方の針金を通して、前記一対の支持片間に前記クランパを支持したことを特徴とする記録媒体再生装置。
【請求項２】
前記一対の溝は、互いに連なっているとともに、前記突出部の全周に亘って設けられていることを特徴とする請求項１記載の記録媒体再生装置。
【請求項３】
前記機器本体に設けられた記録媒体挿入口を通して前記記録媒体を機器本体に出し入れするとともに、
前記針金の長手方向は、前記記録媒体の移動方向に対し交差していることを特徴とする請求項１または請求項２記載の記録媒体再生装置。
【発明の詳細な説明】
【０００１】
【発明の属する技術分野】
本発明は、例えば、Ｃｏｍｐａｃｔ　Ｄｉｓｃなどの記録媒体から情報を読み出す記媒体再生装置に関する。
【０００２】
【従来の技術】
例えば、移動体としての自動車などのインストルメントパネル（以下インパネと呼ぶ）には、記録媒体再生装置としてのＣＤプレーヤ（例えば、特許文献１及び特許文献２参照）などが取り付けられる。ＣＤプレーヤは、Ｃｏｍｐａｃｔ　Ｄｉｓｃ（以下ＣＤと呼ぶ）などの記録媒体が記録した情報を読み出す。
【０００３】
前記ＣＤプレーヤは、前記インパネに取り付けられる機器本体と、前記機器本体に開口した記録媒体挿入口と、搬送ユニットと、前記ＣＤに記録された情報を読み出すための再生ユニット等を備えている。機器本体は、箱状のケースと、このケース内に収容されたシャーシなどを備えている。シャーシは、前記ＣＤを表面上に位置させるシャーシ本体と、このシャーシ本体に対し接離自在に設けられた駆動シャーシとを備えている。
【０００４】
シャーシ本体には、前記ＣＤを回転させるための回転テーブルが取り付けられている。前記駆動シャーシには、前記回転テーブルとの間に前記ＣＤを挟むクランパなどが弾性変形自在な板ばねなどを介して取り付けられている。記録媒体挿入口は、機器本体のケースに開口しているとともに、内側に前記ＣＤが通す。
【０００５】
搬送ユニットは、記録媒体挿入口内を通されたＣＤを所定の再生位置まで搬送したり、前記再生位置からＣＤを記録媒体挿入口まで搬送して該ＣＤを機器本体内から排出する。再生ユニットは、前記シャーシ本体に前記回転テーブルの径方向に沿って移動自在に支持されている。再生ユニットは、再生位置に位置したＣＤから情報を読み出す。
【０００６】
前述した構成のＣＤプレーヤは、ＣＤを収容する前では、シャーシ本体と駆動シャーシとが離れて記録媒体挿入口内を通されたＣＤがクランパに接触しにくくなっている。この状態で、記録媒体挿入口を通してＣＤが挿入されると、前記搬送ユニットが、前記ＣＤをシャーシ本体と駆動シャーシとの間に向かって搬送する。ＣＤがシャーシ本体と駆動シャーシとの間に位置すると、駆動シャーシがシャーシ本体に近づく。前記回転テーブルとクランパとの間にＣＤを挟む（クランプする）。
【０００７】
そして、回転テーブルがＣＤを回転するとともに、再生ユニットがＣＤの所望の箇所から情報を読み出す。こうして、前述したＣＤプレーヤは、前記ＣＤを再生する。
【０００８】
【特許文献１】
特開平５−１５９４２９号公報
【特許文献２】
特開２００２−３２９４５号公報
【０００９】
【発明が解決しようとする課題】
前述した従来のＣＤプレーヤは、より小型化であることが望まれている。しかしながら、前記クランパを板ばねを介して駆動シャーシに取り付けているため、前記板ばねを小型化すると剛性が向上して前記板ばねが弾性変形しにくくなる。このため、前記ＣＤを機器本体内に収容したり、ＣＤを機器本体内から排出する際に、ＣＤが前記クランパに接触すると、このクランパが変位しにくくなり、前記ＣＤが傷つく虞があった。
【００１０】
このように、従来のＣＤプレーヤは、小型化すると前記ＣＤが傷つく虞があった。また、板ばねの剛性を低下させるために、該板ばねを大型化すると、前記ＣＤプレーヤ自体が大型化して望ましくない。
【００１１】
したがって、本発明の目的の一例は、記録媒体を傷つけることなく出し入れ可能とするとともに、小型化を図ることができる記録媒体再生装置を提供することにある。
【００１２】
【課題を解決するための手段】
前記課題を解決し目的を達成するために、請求項１に記載の本発明の記録媒体再生装置は、機器本体に回転自在に設けられた回転テーブルと、前記回転テーブルに接離自在に前記機器本体に支持されたクランパとを備え、前記クランパが前記回転テーブルに近づいて前記回転テーブルと前記クランパとの間に記録媒体を挟んで、この記録媒体に記録された情報を読み出す記録媒体再生装置において、前記機器本体は、互いの間に前記クランパを位置させる一対の支持片と、前記一対の支持片間に渡されかつ互いに間隔をあけて配された一対の針金と、を備え、前記クランパは、前記回転テーブルとの間に記録媒体を挟む挟み部と、前記挟み部から突出した突出部と、前記突出部の外周面から凹でかつ前記挟み部の中心を挟んで互いに逆となる位置に配された一対の溝と、を備え、一対の溝のうち一方の溝内に前記一対の針金のうち一方の針金を通し、他方の溝内に他方の針金を通して、前記一対の支持片間に前記クランパを支持したことを特徴としている。
【００１３】
【発明の実施の形態】
この発明の記録媒体再生装置は、上記のように、クランパに突出部を設けこの突出部に溝を設けるとともに、機器本体の一対の挟み部間に渡された針金を前記溝内に通す。こうすることで、この発明の記録媒体再生装置は、クランパを機器本体に対して容易に変位可能に支持できるようにしたものである。
【００１４】
また、この発明の記録媒体再生装置において、突出部に設けられた溝を互いに連ね、これらの溝を突出部の全周に亘って設ければ良い。
【００１５】
さらに、この発明の記録媒体再生装置において、針金の長手方向を記録媒体の移動方向に対し交差させても良い。
【００１６】
【実施例】
本発明の一実施例にかかる記録媒体再生装置１を図１ないし図１２を参照して説明する。図１などに示す記録媒体再生装置１は、例えば、移動体としての自動車のインストルメントパネル（以下インパネと呼ぶ）に装着される。記録媒体再生装置１は、外径が例えば１２ｃｍなどの記録媒体としてのＣｏｍｐａｃｔ　Ｄｉｓｃ（以下ＣＤと呼ぶ）２を、後述する機器本体３内に収容する。記録媒体再生装置１は、ＣＤ２を機器本体３内の後述する再生位置に位置させて、このＣＤ２に記録された情報を取り出して（再生して）、音声として出力する。
【００１７】
記録媒体再生装置１は、図２などに示すように、機器本体３と、搬送手段としての搬送ユニット４と、再生機構５と、駆動機構６とを備えている。
【００１８】
機器本体３は、図２などに示すように、フレーム７と、シャーシ８とを備えている。フレーム７は、板金からなる。フレーム７は、略平坦な底壁９とこの底壁９と間隔をあけて相対する天井壁１０と前記底壁９と天井壁１０とを連なる複数の周壁１１とを備えて、扁平な箱状に形成されている。フレーム７の図１中手前側の一つの周壁１１には、記録媒体挿入口１２と、開閉扉１３と、各種のスイッチ１４とが設けられている。
【００１９】
記録媒体挿入口１２は、前記周壁１１を貫通している。記録媒体挿入口１２の平面形状は、矩形状に形成されている。記録媒体挿入口１２の長手方向は、記録媒体再生装置１の幅方向に沿っている。記録媒体挿入口１２は、記録媒体再生装置１の厚み方向の幅Ｈ１がＣＤ２の厚みより大きく、かつ記録媒体再生装置１の幅方向の幅Ｈ２がＣＤ２の外径より大きく形成されている。
【００２０】
記録媒体挿入口１２は、前記周壁１１の表面に直交する図１などに示す矢印Ｋに沿って、内側に前記ＣＤ２を通すことができる。記録媒体挿入口１２を通して、ＣＤ２は、搬送ユニット４により機器本体３内に収容されたり機器本体３内から排出される。以下、矢印Ｋを搬送方向と呼び、本明細書に記したＣＤ（記録媒体）２の移動方向をなしている。
【００２１】
開閉扉１３は、板状に形成されており、平面形状が矩形状に形成されている。開閉扉１３は、前記記録媒体挿入口１２を開放する位置と、記録媒体挿入口１２を塞ぐ位置とに亘って、フレーム７に回転自在に支持されている。開閉扉１３は、記録媒体挿入口１２を塞ぐ方向に図示しないばねなどにより付勢されている。この開閉扉１３は省略して記録媒体挿入口１２を露出するようにしてよい。
【００２２】
シャーシ８は、図２などに示すように、シャーシ本体１５と、クランプアーム１６とを備えており、前記フレーム７内に収容されている。シャーシ本体１５は、板金からなり、平板状に形成されている。
【００２３】
シャーシ本体１５は、図２に示すように、底壁９と天井壁１０との双方と平行な状態でこれらの壁９，１０間に収容される。以下、シャーシ本体１５の図２中の上方に位置する表面を以下表面１５ａと呼び、図２中下方に位置する表面を以下裏面１５ｂと呼ぶ。表面１５ａは、天井壁１０と間隔をあけて相対し、裏面１５ｂは、底壁９と間隔をあけて相対する。シャーシ本体１５は、その表面１５ａ上にＣＤ２を位置させる。
【００２４】
また、シャーシ本体１５には、回転テーブル１７（図２に示す）が取り付けられている。回転テーブル１７は、シャーシ本体１５の表面１５ａの中央に回転自在に支持されている。回転テーブル１７の中央部１７ａは、ＣＤ２の中央孔内に侵入する。回転テーブル１７は、モータ１８などの駆動力によってＣＤ２を回転させる。モータ１８は、シャーシ本体１５の裏面１５ｂに取り付けられている。
【００２５】
クランプアーム１６は、板金などからなり、平板状の平板部１９と、クランパ支持部２０（図３などに示す）とを備えている。平板部１９は、シャーシ本体１５の表面１５ａ側に重ねられている。平板部１９は、シャーシ８がフレーム７内に収容されると、図２に示すように、シャーシ本体１５の記録媒体挿入口１２から離れた縁部１５ｃに、記録媒体挿入口１２から離れた縁部１６ａを中心として回転自在に支持されている。平板部１９則ちクランプアーム１６は、図示しないばねなどによりシャーシ本体１５に近づく方向に付勢されている。
【００２６】
クランパ支持部２０は、図３及び図４に示すように、クランパ２１を支持している。クランパ支持部２０は、一対の支持片２２，２３と、針金部材２４とを備えている。支持片２２，２３は、それぞれ、平板部１９の記録媒体挿入口１２寄りの縁から記録媒体挿入口１２に向かって延びている。
【００２７】
一対の支持片２２，２３は、記録媒体挿入口１２の幅方向則ち機器本体３の幅方向に沿って互いに間隔をあけて配されている。一対の支持片２２，２３のうち図３中上側に位置する一方の支持片２２には、針金部材２４の連結部２７が係合する係合受け部２５が設けられている。
【００２８】
針金部材２４は、弾性変形自在でかつ丸棒状に形成されている。針金部材２４は、図８及び図９に示すように、一対の平行部２６と、これらの平行部２６を互いに連結する連結する連結部２７とを一体に備えている。平行部２６は、それぞれ、直線状に延びている。平行部２６は、互いに間隔をあけかつ平行である。平行部２６は、本明細書に記した針金をなしている。平行部２６の他端部には、図３中下側に位置する他方の支持片２３に係止する係止部２８が設けられている。
【００２９】
連結部２７は、平行部２６の一端部同士を連結している。連結部２７は、直線状に延びており、その長手方向が平行部２６の長手方向と直交（交差）している。連結部２７は、一方の支持片２２の係合受け部２５に係合する。
【００３０】
針金部材２４は、連結部２７が係合受け部２５に係合し、平行部２６の係止部２８が他方の支持片２３に係止して、一対の支持片２２，２３則ちクランプアーム１６に取り付けられる。そして、一対の支持片２２，２３間に一対の平行部２６が掛け渡される。
【００３１】
さらに、一対の平行部２６それぞれの長手方向は、前述した搬送方向Ｋに対し直交（交差）している。このように、一対の平行部２６の長手方向が搬送方向Ｋに直交（交差）する方向に沿う状態で、針金部材２４はクランプアーム１６に取り付けられる。
【００３２】
クランパ２１は、合成樹脂からなる。クランパ２１は、図６及び図７に示すように、円盤状の挟み部２９と、この挟み部２９の表面から突出した円柱状の突出部３０と、溝３１とを備えている。挟み部２９と突出部３０とは互いに同軸に配されている。また、突出部２９の外径は、前記一対の平行部２６間の間隔より大きい。
【００３３】
溝３１は、突出部３０の外周面に形成され勿論突出部３０の外周面から凹に形成されている。溝３１は、突出部３０の外周面の全周に亘って設けられている。溝３１の図３及び図６中の右側と左側に位置して、前記突出部３０の中央を挟んで互いに逆に位置する箇所３１ａ，３１ｂは、本明細書に記した一対の溝をなしている。
【００３４】
こうして、一対の溝としての溝３１の箇所３１ａ，３１ｂは、挟み部２９の中心を挟んで互いに逆となる位置に配されている。さらに、一対の溝としての溝３１の箇所３１ａ，３１ｂは、互いに連なっているとともに、突出部３０の全周に亘って設けられている。
【００３５】
前記クランパ２１は、前記溝３１の一対の箇所３１ａ，３１ｂのうち一方の箇所３１ａ内に一対の平行部２６のうち一方の平行部２６を通し、他方の箇所３１ｂ内に他方の平行部２６を通して、前記クランパ支持部２０則ちクランプアーム１６に支持される。そして、クランプ支持部１６は、一対の支持片２２，２３間にクランパ２１を位置付けて支持する。
【００３６】
クランパ２１は、クランプ支持部２０に支持されると、図４に示すように、回転テーブル１７と相対する。クランパ２１は、クランプアーム１６がシャーシ本体１５に近づくと、図５に示すように、回転テーブル１７との間にＣＤ２を挟んでクランプする。クランパ２１は、図４に示すように、クランプアーム１６がシャーシ本体１５から離れると、ＣＤ２の移動を妨げない（許容する）。
【００３７】
クランパ２１と回転テーブル１７との間に挟まれた（クランプされた）ＣＤ２の位置は、本明細書に記した再生位置をなしている。このため、ＣＤ２は、記録媒体挿入口１２と再生位置とに亘って搬送されることとなる。ＣＤ２の記録媒体挿入口１２と再生位置とに至る軌跡を、本明細書では搬送経路Ｒと呼ぶ。搬送経路Ｒは、記録媒体挿入口１２内を通って再生位置に至る際にＣＤ２全体の軌跡を示している。
【００３８】
搬送ユニット４は、図２などに示すように、記録媒体挿入口１２の近傍に配され、図示しないフレームと、ローラ３２と、ディスクガイド３３とを備えている。フレームは、板金などからなり、平面形状が矩形状に形成されている。フレームは、その長手方向がシャーシ８則ち機器本体３の幅方向と平行な状態で配される。フレームは、シャーシ８のシャーシ本体１５に回転自在に支持される。また、フレームには、一対の爪が立設している。爪は、フレームの記録媒体挿入口１２寄りの縁部から立設している。
【００３９】
フレームは、シャーシ８のシャーシ本体１５に対し傾いて、ローラ３２をディスクガイド３３に近づけた搬送位置と、シャーシ８のシャーシ本体１５と平行でかつローラ３２をディスクガイド３３から離した搬送阻止位置とに亘って変位自在となっている。
【００４０】
ローラ３２は、その長手方向がフレームの長手方向と平行な状態で配される。ローラ３２は、その軸芯周りに回転自在にフレームに支持されている。ローラ３２の回転中心は、シャーシ８の幅方向則ちフレームの長手方向に沿っている。
【００４１】
ローラ３２の一端部には、歯車が取り付けられている。前述した搬送位置において、ローラ３２の歯車は、駆動機構６の図示しない従動歯車と噛み合う。ローラ３２は、前述した搬送位置で、前記歯車などを介して駆動機構６のモータの回転駆動力によって回転される。前述した搬送阻止位置では、ローラ３２の歯車は、駆動機構６の従動歯車と噛み合わない。前述した搬送阻止位置では、ローラ３２は、停止する。
【００４２】
ディスクガイド３３は、摩擦係数の小さい合成樹脂からなる。ディスクガイド３３は、その表面が記録媒体挿入口１２則ちシャーシ８の幅方向に沿う状態でシャーシ本体１５に取り付けられる。ディスクガイド３３は、天井壁１０の近傍に取り付けられ、かつ前記フレームと間隔をあけて配されている。
【００４３】
前述した搬送ユニット４は、フレームが搬送位置に位置付けられると、従動歯車に歯車が噛み合ってローラ３２が回転する。そして、ローラ３２とディスクガイド３３との間にＣＤ２を挟んで、ＣＤ２を記録媒体挿入口１２内に通して、機器本体３内に収容されたり、該機器本体３内から排出する。
【００４４】
ＣＤ２を再生位置に位置付けたりしてフレームが搬送阻止位置に位置付けられると、従動歯車と歯車との噛み合いが外れて、ローラ３２の回転が停止する。そして、爪が、ＣＤ２が記録媒体挿入口１２内を通ることを規制して、ＣＤ２が機器本体３内に収容されたり、該機器本体３内から排出されることを規制する。
【００４５】
再生機構５は、光ピックアップ部３４を備えている。光ピックアップ部３４は、シャーシ本体１５の裏面１５ｂ側に配されている。光ピックアップ部３４は、駆動機構６により、シャーシ本体１５の両面１５ａ，１５ｂ則ちＣＤ２の表面に沿って回転テーブル１７に接離自在に支持される。光ピックアップ部３４は、駆動機構６により、回転テーブル１７の径方向に沿って移動自在に支持される。なお、接離とは、近づいたり、離れたりすることである。光ピックアップ部３４は、シャーシ本体１５の表面１５ａ上に位置させられた再生位置のＣＤ２の表面と相対する。光ピックアップ部３４は、前記ＣＤ２に記録された情報を読みとる。
【００４６】
駆動機構６は、駆動源としてのモータと、ねじ軸と、複数の従動歯車などを備えている。モータは、シャーシ本体１５の裏面１５ｂに取り付けられ、出力軸にウォームなどが取り付けられている。ねじ軸は、光ピックアップ部３４に螺合している。一つの従動歯車はウォームと噛み合っているとともに、他の一つは前述したローラ３２の歯車と噛み合い、他の一つの従動歯車がねじ軸と噛み合っている。
【００４７】
駆動機構６は、前述したモータなどの回転駆動により、フレームを搬送位置と搬送阻止位置とに亘って変位させるとともに、搬送位置でローラ３２を回転させる。駆動機構６は、ローラ３２を回転させて、ＣＤ２を搬送する。駆動機構６は、ＣＤ２を再生位置に位置付けると、フレームを搬送阻止位置に変位させて、ローラ３２の回転を停止する。
【００４８】
駆動機構６は、クランプアーム１６をシャーシ本体１５に近づけて、回転テーブル１７とクランパ２１との間にＣＤ２を挟む（クランプする）。さらに、駆動機構６は、ＣＤ２を再生位置に位置付けると、ねじ軸を回転させて、ＣＤ２の所望の位置と光ピックアップ部３４とを相対させる。
【００４９】
また、前記記録媒体再生装置１は、記録媒体挿入口１２内に前述したＣＤ２などが挿入されたことを検出する図示しない検出器と、図示しない制御部を備えている。検出器は、記録媒体挿入口１２内にＣＤ２などが挿入されたことを検出すると、ＣＤ２などが挿入されたことを示す信号を制御部に向かって出力する。
【００５０】
制御部は、ＤＳＰ（Ｄｉｇｉｔａｌ　Ｓｉｇｎａｌ　Ｐｒｏｃｅｓｓｏｒ）や、ＩＣ（Ｉｎｔｅｇｒａｔｅｄ　Ｃｉｒｃｕｉｔ）などからなる。制御部は、前記モータ１８などを制御して、記録媒体再生装置１全体の制御をつかさどる。制御部は、検出器が記録媒体挿入口１２内にＣＤ２などが挿入されたことを検出して、前記検出器から前述した信号が入力すると、前記駆動機構６のモータをローラ３２がＣＤ２を機器本体３内に収容する方向（以下正転方向と呼ぶ）に駆動する。
【００５１】
また、スイッチ１４などが操作されて、ＣＤ２を排出する信号が入力すると、制御部は、前記駆動機構６のモータをローラ３２がＣＤ２を機器本体３内に排出する方向（以下逆転方向と呼ぶ）に駆動する。
【００５２】
次に、前述した構成の記録媒体再生装置１の作用（動作）について説明する。まず、ＣＤ２が機器本体３内に挿入されていない状態では、図４に示すように、クランプアーム１６とシャーシ本体１５とが離れている。このため、回転テーブル１７とクランパ２１は、互いに間隔をあけて相対している。搬送ユニット４が搬送位置に位置付けられている。ローラ３２の歯車が駆動機構６の従動歯車と噛み合っている。
【００５３】
まず、記録媒体再生装置１の使用者が記録媒体挿入口１２内を通して、ローラ３２とディスクガイド３３との間に、前述したＣＤ２を挿入する。すると、ＣＤ２などが記録媒体挿入口１２内に挿入されたことを検出器が検出して、前述した信号を制御部に向かって出力する。
【００５４】
すると、制御部が駆動機構６のモータを正転方向に回転して、このモータの回転駆動力がウォーム、従動歯車などを介して、ローラ３２の歯車に伝わる。ローラ３２が、ＣＤ２を機器本体３内に収容する方向に回転する。
【００５５】
モータの駆動力によって回転されたローラ３２とディスクガイド３３との間にＣＤ２が挟まれる。ローラ３２が回転しているため、ＣＤ２は、クランプアーム１６とシャーシ本体１５との間即ち再生位置に向かって搬送される。
【００５６】
すると、クランプアーム１６がシャーシ本体１５に徐々に近づく。すると、ＣＤ２が、図１０に示すように、ＣＤ２の中央孔がクランパ２１と回転テーブル１７との間に位置すると、駆動機構６がフレームを搬送阻止位置に位置付けて、ローラ３２の歯車と前述した従動歯車との噛み合いが外れる。そして、ローラ３２の回転が停止する。
【００５７】
また、ＣＤ２が前記再生位置に位置すると、クランプアーム１６のクランパ支持部２０に支持されたクランパ２１とＣＤ２とが接触する。クランパ２１は、針金部材２４の平行部２６に支持されかつ前記針金部材２４則ち平行部２６が弾性変形自在である。
【００５８】
このため、クランパ２１に作用したＣＤ２からの反力などにより、図１１に示すように、針金部材２４則ち平行部２６が弾性変形して、クランパ２１の挟み部２９の回転テーブル１７と相対する表面２９ａの外縁全体に亘ってＣＤ２と接触する。
【００５９】
さらに、クランプアーム１６がシャーシ本体１５に近づくと、図５に示すように、回転テーブル１７の中央部１７ａがＣＤ２の中央孔内に侵入するとともに、回転テーブル１７とクランパ２１との間にＣＤを挟む（クランプする）。こうして、ＣＤ２は、再生位置に位置付けられる。
【００６０】
さらに、搬送ユニット４のフレームが搬送阻止位置に位置付けられると、爪が記録媒体挿入口１２を塞いで、ＣＤ２が機器本体３内から不意に脱落することを防止する。爪は、更に別の記録媒体が機器本体３内に侵入することを防止する。
【００６１】
すると、駆動機構６のモータの回転駆動力は、従動歯車などを介してねじ軸を回転させる。その後、使用者などが前述したスイッチ１４を操作して、選曲する。すると、前記モータは、前述した選曲状況に応じて、ねじ軸を回転させて、光ピックアップ部３４でＣＤ２に記録されている情報を読み出す。こうして、ＣＤ２を再生する。
【００６２】
ＣＤ２の再生が終了したり、機器本体３内のＣＤ２を交換する際には、まず、使用者が前述したスイッチ１４などを操作する。すると、前述した動作と逆方向にモータなどが駆動する。駆動機構６がフレームを搬送位置に位置付けるとともに、ローラ３２を逆転方向に回転して、ＣＤ２を機器本体３内から記録媒体挿入口１２を通して徐々に排出する。さらに、駆動機構６は、クランプアーム１６を徐々にシャーシ本体１５から離して、回転テーブル１７からクランパ２１を徐々に離す。そして、記録媒体挿入口１２を通してＣＤ２を機器本体３外に排出する。
【００６３】
本実施例によれば、クランプアーム１６の一対の支持片２２，２３間に一対の平行部２６則ち針金部材２４を掛け渡し、クランパ２１の突出部３０に溝３１を設けている。さらに、前記溝３１内に平行部２６を通して、前記クランパ２１をクランプアーム１６に支持している。このため、平行部２６則ち針金部材２４が弾性変形することにより前記クランパ２１がクランプアーム１６に対して変位する。
【００６４】
また、平行部２６則ち針金部材２４を小型化則ち短くしても、平行部２６則ち針金部材２４が丸棒状なので容易に弾性変形する。このため、小型化を図っても、例えば、記録媒体挿入口１２から挿入したＣＤ２が図１２に示すようにクランパ２１に接触すると、平行部２６則ち針金部材２４が弾性変形して、クランパ２１がクランプアーム１６に対して変位する。
【００６５】
こうして、ＣＤ２がクランパ２１に接触した際にクランパ２１が容易にクランプアーム１６に対して変位する。したがって、ＣＤ２を傷つけることなく機器本体３に出し入れできるとともに小型化を図ることができる。
【００６６】
溝３１が突出部３０の全周に亘って設けられている。このため、クランパ２１が回転自在となり、ＣＤ２が接触すると針金が弾性変形して、クランパ２１がクランプアーム１６に対して容易に変位するとともに、クランパ２１がクランプアーム１６に対して軸芯Ｐ（図７中などに一点鎖線で示す）を中心として回転する。したがって、ＣＤ２を傷つけることなく機器本体３に確実に出し入れできる。
【００６７】
針金部材２４の平行部２６の長手方向が搬送方向Ｋに対して直交している。このため、平行部２６の長手方向を搬送方向Ｋと平行に、針金部材２４をクランプアーム１６に取り付ける場合と比較して、クランプアーム１６の小型化を図ることができる。したがって、クランプアーム１６則ち機器本体３の搬送方向Ｋに沿う方向の寸法を小型化できる。
【００６８】
又、針金部材２４は、一対の平行部２６と連結部２７を備えている。一対の平行部２６と連結部２７とは一体である。このため、部品点数の増加を抑制できる。
【００６９】
前述した実施例では、突出部３０の全周に亘って溝３１を設けている。しかしながら、本発明では、挟み部２９の中心を挟んで互いに逆となる位置のみに溝３１ａ，３１ｂを設けても良い。さらに、一対の平行部２６と連結部２７とを一体している。しかしながら、本発明では、針金部材２４として互いに別体の一対の平行部２６のみを設けても良いことは勿論である。
【００７０】
前述した実施例によれば、以下の記録媒体再生装置１が得られる。
（付記１）　機器本体３に回転自在に設けられた回転テーブル１７と、前記回転テーブル１７に接離自在に前記機器本体３に支持されたクランパ２１とを備え、前記クランパ２１が前記回転テーブル１７に近づいて前記回転テーブル１７と前記クランパ２１との間にＣＤ２を挟んで、このＣＤ２に記録された情報を読み出す記録媒体再生装置１において、
前記機器本体３は、互いの間に前記クランパ２１を位置させる一対の支持片２２，２３と、前記一対の支持片２２，２３間に渡されかつ互いに間隔をあけて配された一対の針金２６と、を備え、
前記クランパ２１は、前記回転テーブル１７との間にＣＤ２を挟む挟み部２９と、前記挟み部２９から突出した突出部３０と、前記突出部３０の外周面から凹でかつ前記挟み部２９の中心を挟んで互いに逆となる位置に配された一対の溝３１ａ，３１ｂと、を備え、
一対の溝３１ａ，３１ｂのうち一方の溝３１ａ内に前記一対の針金２６のうち一方の針金２６を通し、他方の溝３１ｂ内に他方の針金２６を通して、前記一対の支持片２２，２３間に前記クランパ２１を支持したことを特徴とする記録媒体再生装置１。
【００７１】
（付記２）　前記一対の溝３１ａ，３１ｂは、互いに連なっているとともに、前記突出部３０の全周に亘って設けられていることを特徴とする付記１記載の記録媒体再生装置１。
【００７２】
（付記３）　前記機器本体３に設けられた記録媒体挿入口１２を通して前記ＣＤ２を機器本体３に出し入れするとともに、
前記針金２６の長手方向は、前記ＣＤ２の移動方向Ｋに対し交差していることを特徴とする付記１または付記２記載の記録媒体再生装置１。
【００７３】
付記１に記載の記録媒体再生装置１によれば、機器本体３の一対の支持片２２，２３間に一対の針金２６を掛け渡し、クランパ２１の突出部３０に溝３１ａ，３１ｂを設けて、前記溝３１ａ，３１ｂ内に針金２６を通して、前記クランパ２１を機器本体３に支持している。このため、針金２６が弾性変形することにより前記クランパ２１が機器本体３に対して変位する。
【００７４】
また、針金２６を小型化則ち短くしても、針金２６が容易に弾性変形する。このため、小型化を図っても、ＣＤ２がクランパ２１に接触した際にクランパが容易に機器本体３に対して変位する。したがって、ＣＤ２を傷つけることなく機器本体３に出し入れできるとともに小型化を図ることができる。
【００７５】
付記２に記載の記録媒体再生装置１によれば、溝３１ａ，３１ｂが突出部３０の全周に亘って設けられている。このため、クランパ２１が軸芯Ｐ周りに回転自在となり、ＣＤ２に接触すると針金２６が弾性変形して、クランパ２１が機器本体３に対して容易に変位するとともに、クランパ２１が機器本体３に対して回転する。したがって、ＣＤ２を傷つけることなく機器本体３に確実に出し入れできる。
【００７６】
付記３に記載の記録媒体再生装置１によれば、針金２６の長手方向がＣＤ２の移動方向Ｋに対して直交している。このため、機器本体３のＣＤ２の移動方向Ｋに沿う寸法を小型化できる。
【図面の簡単な説明】
【図１】本発明の一実施例にかかる記録媒体再生装置を示す斜視図である。
【図２】図１中のＩＩ−ＩＩ線に沿う断面を模式的に示す説明図である。
【図３】図１に示された記録媒体再生装置のクランパ部とクランパなどを上方からみた平面図である。
【図４】図３中のＩＶ−ＩＶ線に沿う断面図である。
【図５】図４に示されたクランパと回転テーブルとの間にＣＤを挟んだ状態を示す断面図である。
【図６】図３に示されたクランパの平面図である。
【図７】図６中のＶＩＩ−ＶＩＩ線に沿う断面図である。
【図８】図３に示された針金部材の平面図である。
【図９】図８中のＩＸ−ＩＸ線に沿う断面図である。
【図１０】図４に示されたクランパと回転テーブルとの間にＣＤが挿入された状態を示す断面図である。
【図１１】図１０に示された状態からクランプアームがシャーシ本体に近づいてＣＤにクランパが接触した状態を示す断面図である。
【図１２】図１０に示されたクランパにＣＤが接触した状態を示す断面図である。
【符号の説明】
１　記録媒体再生装置
２　ＣＤ（記録媒体）
３　機器本体
１７　回転テーブル
２１　クランパ
２２，２３　支持片
２６　平行部（針金）
２９　挟み部
３０　突出部
３１ａ　箇所（一方の溝）
３１ｂ　箇所（他方の溝）
Ｋ　搬送方向（記録媒体の移動方向）
【図１】
2004110903.tif 000003
【図２】
2004110903.tif 000004
【図３】
2004110903.tif 000005
【図４】
2004110903.tif 000006
【図５】
2004110903.tif 000007
【図６】
2004110903.tif 000008
【図７】
2004110903.tif 000009
【図８】
2004110903.tif 000010
【図９】
2004110903.tif 000011
【図１０】
2004110903.tif 000012
【図１１】
2004110903.tif 000013
【図１２】
2004110903.tif 000014